(57)【要約】【課題】従来の刈払機の安全カバー装置は多目的に、又、異なる条件では使用できない欠点があった。【解決手段】本発明の刈払機の安全カバー装置は、刈刃を取り付ける主パイプにその基部を固定したサポータと、このサポータに重ね合せた、その基部を上記サポータに回動自在に枢支したカッターガードとより成る。上記サポータとカッターガードの基部の何れか一方及び他方に、互いに係合する枢軸と長溝の何れか一方及び他方が設けられ、上記サポータとカッターガードの何れか一方及び他方に、互いに係合する枢軸とＨ状溝の何れか一方及び他方が設けられている。【選択図】　図１
2004000075.tif 000002
【特許請求の範囲】
【請求項１】
刈刃を取り付ける主パイプにその基部を固定したサポータと、このサポータに重ね合せた、その基部を上記サポータに回動自在に枢支したカッターガードとより成ることを特徴とする刈払機の安全カバー装置。
【発明の詳細な説明】
【０００１】
【発明の属する技術分野】
本発明は刈払機の安全カバー装置、特に、多目的用刈払機のための安全カバー装置に関するものである。
【０００２】
【従来の技術】
図１３は従来の安全カバーを有する刈払機を示し、１は主パイプ、２はこの主パイプ１の基部に取り付けたエンジン、３は主パイプ１の先端部に着脱自在に取り付けた例えば厚さ５ｍｍ、直径２５０ｍｍ程度の刈刃、４はＬ字状に下方に折り曲げた先端部４ａを有し、基部４ｂを主パイプ１の先端部に固定したカッターガード、５は肩掛けバンドである。
【０００３】
この種従来の刈払機におけるカッターガード４は主パイプ１の先端部から操作者の方向に延びる中心線を有する扇形状平面を有し、刈刃３によってはね飛ばされた草木や小石が作業者に達しないようその折り曲げ先端部４ａによってガードする役割を果たしている。
【０００４】
【発明が解決しようとする課題】
然しながら上記刈払機はガードの範囲が一定で変更できず、従って、刈り取る草木の種類、地面の傾斜、作業者による使い方等に対応せしめることができなかった。また、その刈刃３を図１４に示すようにナイロンコード６を有するナイロンカッター７に交換して使用する場合には上記ナイロンカッター７はナイロンコード６を内蔵する関係上その厚さが２０ｍｍ程度と大きくなり、ナイロンコード６の作用面がそれだけ地面に近づく。従ってこれに応じて上記カッターガード４のＬ型折り曲げ先端部４ａの下縁の位置を地面に近くする必要があり、カッターガード４として大きいものを使用する必要があった。
【０００５】
また、図１５に示すように刈刃３を垂直として草刈境界部の溝切り用として使用する場合があり、このように刈刃３を垂直とした場合には上記扇形状平面の下側となる縁が地面に当るようになるため作業不能となる欠点があった。
【０００６】
本発明は上記の欠点を除くようにしたものである。
【０００７】
【課題を解決するための手段】
本発明の刈払機の安全カバー装置は、刈刃を取り付ける主パイプにその基部を固定したサポータと、このサポータに重ね合せた、その基部を上記サポータに回動自在に枢支したカッターガードとより成ることを特徴とする。
【０００８】
【発明の実施の形態】
以下図面によって本発明の実施例を説明する。
【０００９】
本発明においては図１〜図４に示すように主パイプ１の先端部から操作者の方向に向って略水平に延びる、先端部８ａをＬ字状に下方に折り曲げた短柵状のサポータ８を上記カッターガード４の上面に重ね合せ、その基部８ｂを主パイプ１の先端部に固定する。このサポータ８の基部近傍には長溝８ｃを形成し、折り曲げ先端部８ａには上下及び左右に延びる溝、例えば、横向きとしたＨ状溝部８ｄを設ける。
【００１０】
また、上記カッターガード４の基部４ｂを主パイプ１に固定せず、この部分に枢軸９を垂設し、上記サポータ８の基部近傍に形成した長溝８ｃに挿通した後これにノブ１０を螺合し、カッターガード４が枢軸９を中心としてサポータ８に相対的に水平面内で揺動自在ならしめる。
【００１１】
また、カッターガード４の折り曲げ先端部４ａに枢軸１１を突設し、上記サポータ８の先端部８ａに形成したＨ状溝部８ｄに挿通した後これにノブ１２を螺合し、カッターガード４の先端部４ａを枢軸１１を介して上記溝部８ｄに沿って水平方向及び上下方向に移動自在ならしめる。
【００１２】
更に、図５に示すように刈刃３を垂直として使用する場合に下側となるサポータ８の縁にはこれから延びる泥よけ片１３を設けるのが好ましい。
【００１３】
本発明の刈払機の安全カバー装置は上記のような構成であるから刈刃３の代りにナイロンカッター７を使用する場合にはノブ１２を横向きのＨ状溝部８ｄの中間溝部分を通して、図４に示す下方の水平溝内に移動し、この結果、カッターガード４がサポータ８に相対的に地面側に下降され、ナイロンカッター７からの小石等に対し操作者を十分にガードできるようになる。
【００１４】
また、刈刃３を図５に示すように垂直にして使用する場合にはカッターガード４を枢軸１１を介して溝部８ｄに沿ってサポータ８に相対的に上方に移動せしめてカッターガード４の下側になった縁をサポータ８の下側になった縁に一致せしめ且つ地面に水平ならしめれば、カッターガード４の下縁が地面に当らないようになる。
【００１５】
また、このときは泥よけ片１３が刈刃３からの泥等を受け止めるようになる。
【００１６】
なお、上記枢軸９及び１１をサポータ８に設け、溝８ｃ、溝部８ｄをカッターガード４に設けても良く、また、泥よけ片１３はカッターガード４に設けても良い。
【００１７】
本発明の第２の実施例においては図６〜図８に示すようにＬ字状に下方に折り曲げた先端部８ａを有しないサポータ８を用い、このサポータ８の遊端部近傍に上下及び左右に延びる溝、例えば、横向きとしたＨ状溝部８ｄを設けカッターガード４の水平面部に枢軸１１を突設し、上記サポータ８の先端部に形成したＨ状溝部８ｄに挿通した後これにノブ１２を螺合し、カッターガード４の水平部分に枢軸１１を設け、これを介して上記カッターガード４を上記溝部８ｄに沿って水平方向及び上下方向に移動自在ならしめる。
【００１８】
この実施例によれば第１の実施例と略同一の作用効果を得ることができる。
【００１９】
図９及び図１０は主パイプ１の先端部にギヤボックス１４を有するストレートタイプの刈払機に本発明を適用した場合の第３の実施例を示し、この実施例においてはギヤボックス１４と主パイプ１との接続部に上記第１実施例におけると同様のサポータ８の基部を８ｂを固定し、カッターガード４をこのサポータ８に重ねて用いるようにする。
【００２０】
図１１及び図１２は本発明の第４の実施例を示し、この実施例ではストレートタイプの刈払機において上記第２実施例におけると同様のサポータ８とカッターガード４とを用いる。
【００２１】
なお、上記各実施例におけるＨ状溝部は上下に延びる一本の溝のみとしても良い。
【００２２】
【発明の効果】
上記のように本発明の刈払機の安全カバー装置を用いれば、刈払機が多目的に、また、異なる条件に適合するよう使用できるようになると共に安全性を高めることができる大きな利益がある。
【図面の簡単な説明】
【図１】本発明の安全カバー装置を用いた刈払機の斜視図である。
【図２】本発明の安全カバー装置の平面図である。
【図３】図２に示す安全カバー装置の縦断側面図である。
【図４】図２に示す安全カバー装置の右側面図である。
【図５】本発明の刈払機の安全カバー装置の他の使用状態説明図である。
【図６】本発明の第２の実施例の安全カバー装置を用いた刈払機の斜視図である。
【図７】図６に示す安全カバー装置の平面図である。
【図８】図７に示す安全カバー装置の縦断側面図である。
【図９】本発明の第３の実施例の安全カバー装置を用いた刈払機の斜視図である。
【図１０】図９に示す安全カバー装置の平面図である。
【図１１】本発明の第４の実施例の安全カバー装置を用いた刈払機の斜視図である。
【図１２】図１１に示す安全カバー装置の平面図である。
【図１３】従来の安全カバーを用いた刈払機の斜視図である。
【図１４】刈刃とナイロンカッターの関係説明図である。
【図１５】従来の安全カバーを用いた刈払機の他の使用状態説明図である。
【符号の説明】
１　　主パイプ
２　　エンジン
３　　刈刃
４　　カッターガード
４ａ　先端部
４ｂ　基部
５　　肩掛けバンド
６　　ナイロンコード
７　　ナイロンカッター
８　　サポータ
８ａ　折り曲げ先端部
８ｂ　基部
８ｃ　長溝
８ｄ　Ｈ状溝部
９　　枢軸
１０　　ノブ
１１　　枢軸
１２　　ノブ
１３　　泥よけ片
１４　　ギヤボックス
【図１】
2004000075.tif 000003
【図２】
2004000075.tif 000004
【図３】
2004000075.tif 000005
【図４】
2004000075.tif 000006
【図５】
2004000075.tif 000007
【図６】
2004000075.tif 000008
【図７】
2004000075.tif 000009
【図８】
2004000075.tif 000010
【図９】
2004000075.tif 000011
【図１０】
2004000075.tif 000012
【図１１】
2004000075.tif 000013
【図１２】
2004000075.tif 000014
【図１３】
2004000075.tif 000015
【図１４】
2004000075.tif 000016
【図１５】
2004000075.tif 000017